(57)【要約】      （修正有）【課題】反射機能に加えて風車を利用して縦長反射面のクリーニングを行なう防塵機構の視線誘導器を提供する。【解決手段】一端部に風車２を取付け、他端部に第１ギヤ３を設けた伝動軸１に隣接して第１ギヤ３に噛合する第２ギヤ４と補助ギヤ６を一体に構成した支軸５を設け、支軸５に隣接して補助ギヤ６に噛合する第３ギヤ８を設けた支軸７を設け、第３ギヤ８の外周寄りにピン９を介してアーム１０の一端を回動自在に取り付け、このアーム１０の他端にピン１１を介して補助アーム１２を、軸１３を介して回動自在に設け、軸１３の他端に縦長の下部ワイパー用アーム１４を設け、この下部ワイパー用アーム１４の両端部にそれぞれピン１５ａ、１６ａを介して中部反射板用ワイパー１５、下部反射板用ワイパー１６を設けた防塵機構を、前面に反射板を設けたケース内に取付け、前記風車２と各ワイパーをケースの前面に位置するように取付ける。【選択図】          図３
2004197540.tif 000002
【特許請求の範囲】
【請求項１】
一端部に風車を取り付け、他端部に第１ギヤを設けた伝動軸に隣接して前記第１ギヤに噛合する第２ギヤと補助ギヤを一体に構成した支軸を設け、前記支軸に隣接して前記補助ギヤに噛合する第３ギヤを設けた支軸を設け、前記第３ギヤの外周寄りにピンを介してアームの一端を回動自在に取り付け、このアームの他端にピンを介して補助アームを、軸を介して回動自在に設け、前記軸の他端に縦長の下部ワイパー用アームを設け、この下部ワイパア用アームの両端部にそれぞれピンを介して中部反射板用ワイパー、下部反射板用ワイパーを設けた防塵装置を、前面に反射板を設けたケース内に、前記風車と各ワイパーをケースの前部に位置するように取り付けたことにより風車の回転によって各反射板に付着する塵埃が自動的に除去されるように構成したことを特徴とする防塵機構の視線誘導器。
【発明の詳細な説明】
【０００１】
【発明の属する技術分野】
本発明は各道路の側限や駐車場の車止め等を表示する視線誘導器の改良に関するもので、詳しくは視線誘導器に設けられている反射板の表面の汚れを視線誘導器に設けられている風車を利用して自動的に取り除くように構成した防塵機構の視線誘導器に関し、特願２００１−３４５４０６の改良に関するものである。
【０００２】
【従来の技術】
従来、視線誘導器は道路の車道と歩道の境界又は車止め等を表示するために所定の間隔を置いて設けられた杭状のもので、古くは赤色、白色等の目立ちやすい色を縞模様に設けられたものが設置されていた。
近年、赤色、白色等の色彩に代えて反射板が利用され、夜間、走行する自動車や自転車のライトが当たると反射し、可なりの遠距離からでも確認できる視線誘導器が提供されている。
又、反射板に風車を取り付けることによって反射板が風車の回転で一層その存在をはっきりさせた視線誘導器も提供されている。
近時、本出願人による防塵機構の視線誘導器（特願２００１−３４５４０６）も提供されている。
【０００３】
【発明が解決しようとする課題】
しかし、これまで提供されている視線誘導器の機能は確かに優れたものであるが、道路等屋外に設置されるものであるため、塵挨や自動車の廃棄ガスの汚れで視線誘導機能が低下し、交通量の多い場所では短時間で低下する欠点があった。
又、反射機能、風車機能に加えて反射面の汚れを風車の回転を利用して常時クリーニングするようにした防塵機構の視線誘導器が提供されたが、防塵装置のアームやワイパーの動きに円滑を欠くことが判明した。
即ち、特願２００１−３４５４０６に見られるように、第３ギヤの回転に従って上下動するアームと連動し、軸を中心にして一端が左右に移動する逆Ｌ形アーームの動きに従って縦長のワイパー（上下一体になっている）が２本の摺動軸に沿って左右に動き、反射板の表面を払拭するようになっているためワイパーを支えている軸の先端部に集中して力が懸るため、かなり強い風が吹かないとワイパーが動かない欠点があっつた。
本発明はワイパーを上下に分け、一本のアームの中間部を軸にして、このアームの端部にそれぞれワイパーを取り付けることにより、軸に懸かる力を少なくし、弱い風でも作動する防塵機構の視線誘導器を提供することを目的とする。
【０００４】
【課題を解決するための手段】
上記目的を達成するため本発明は、一端部に風車２を取り付け、他端部に第１ギヤ３を設けた伝動軸１に隣接して前記第１ギヤ３に噛合する第２ギヤ４と補助ギヤ６を一体に構成した支軸５を設け、前記支軸５に隣接して前記補助ギヤ６に噛合する第３ギヤ８を設けた支軸７を設け、前記第３ギヤ８の外周寄りにピン９を介してアーム１０の一端を回動自在に取り付け、このアーム１０の他端にピン１１を介して補助アーム１２を、軸１３を介して回動自在に設け、前記軸１３の他端に縦長の下部ワイパー用アーム１４を設け、この下部ワイパー用アーム１４の両端部にそれぞれピン１５ａ、１６ａを介して中部反射板用ワイパー１５、下部反射板用ワイパー１６を設けた防塵装置Ａを、前面に反射板を設けたケースＢ内に、前記風車２と各ワイパーをケースＢの前部に位置するように取り付けたことにより風車の回転によって各反射板に付着する塵埃が自動的に除去されるようにしたものである。
【０００５】
【発明の実施の形態】
以下、本発明の実施の形態を図面に基づいて説明する。
【０００６】
図１は本発明の正面図、図２は蓋を取り除いた状態の本発明の背面図、図３は側面から見た本発明の内部構成図で、図中の符号Ａは防塵機構を示し、Ｂはケースを示す。
【０００７】
１は伝動軸で、この伝動軸１の一端部に風車２が取り付けられ、他端部に第１ギヤ３が設けられていて、風車２と第１ギヤは同一回転するようになっており、風車２の複数の羽根の裏側には上部反射板用ワイパー２ａがそれぞれ設けられ、風車２が回転することによってケースＢの前面上部に設けられた上部反射板２１に付着する汚れを払拭するようになっている。
【０００８】
風車２は特定の機能を持ったものではなく、風で回転することによってケースＢに取り付けられた上部反射板２１の汚れを風車２の背面に取り付けられた上部反射板用ワイパー２ａによって払拭すると共に、第３ギヤ８に連動して上下動するアーム１０、及び補助アーム１２、軸１３、下部ワイパー用アーム１４を介して中部反射板２２、下部反射板２３の反射面に付着する汚れを払拭し、微風でも回転するようになっている。
各ワイパー（上部、中部、下部）は付着する塵埃や汚れを取り除く場合、反射面を損傷しないことが必要であることから刷毛状のものが望ましい。
【０００９】
伝動軸１の一端部（風車と反対側）に取り付けられている第１ギヤ３は風車２によって起きる回転を隣接する支軸５に設けられた歯数の多い第２ギヤ４に伝え、第１ギヤ３の回転を落とすようになっている。
【００１０】
第２ギヤ４は歯数の少ない補助ギヤ６と一体に支軸５に取り付けられていて、補助ギヤ６は隣接する支軸７に設けられた歯数の多い第３ギヤ８と噛合し、更に回転を落とすようになっている。
【００１１】
第３ギヤ８は周辺寄りにピン９を介して縦長板状のアーム１０の一端が回動自在に連設され、第３ギヤ８が回転することによって前記アーム１０が上下動するようになっており、アーム１０の下端部にはピン１１を介して横手方向に短い補助アーム１２の一端が回動自在に連設されている。
【００１２】
前記補助アーム１２の他端はケースＢの前面中腹部の軸受１３ａを介し、ケースＢ内に水平状に設けられた中部補強枠２５の中央部に、中部補強枠２５に直交してケースＢの前部に突設された軸１３の後端に固定されていて、アーム１０の上下動に同調して補助アーム１２が軸１３を基にして上下に振動する。
【００１３】
補助アーム１２と同調して回動する軸１３の前端部（ケースＢの前部外側）に上下縦長のワイパー用アーム１４の中間部が固定され、軸１３の回動に同調してワイパー用アーム１４が左右に所定角度往復動する。
【００１４】
ワイパー用アーム１４の上端部にはピン１５ａを介して中部反射板用ワイパー１５が、下端部にはピン１６ａを介して下部反射板用ワイパー１６が回動自在に取り付けられていて、所定角度往復動するワイパー用アーム１４に従って中部、下部の両反射板用ワイパー１５、１６が左右水平方向に往復動し、中部、下部の反射板を払拭するようになっている。
ピン１５ａ、１６ａを介してワイパー用アーム１４と中部反射板用ワイパー１５、下部反射板用ワイパー１６の連結される部位に長穴ａが設けられているので両ワイパーは円滑に作動するようになっている。
【００１５】
中部反射板用ワイパー１４、下部反射板用ワイパー１５の反射板に接触する部分は特定のものではないが、摺動効果、払拭効果を高めるためには刷毛状のものが望ましい。
所定巾を往復動する中部反射板用ワイパー１５、下部反射板用ワイパー１６は、中部反射板２２、下部反射板２３の両側部に設けられた凹陥部ｂ、ｃ、ｄ、ｅによって図５に示したように刷毛の倒れた状態が反転するのでワイパーは円滑に作動するようになっている。
【００１６】
１７は中部反射板用ワイパー１５の下端部に、１８は下部反射板用ワイパー１６下端部に設けられた突出片で、これらの突出片は中部反射板２２、下部反射板２３の下部にそれぞれ水平に設けられた上ガイド溝１９、下ガイド溝２０で、中部反射板用ワイパー１５、下部反射板用ワイパー１６がこのガイド溝に沿って円滑に左右に動くようになっている。
【００１７】
２１は上部反射板で、ケースＢの前面上部に設けられ、回転する風車２の直径と同径状の円盤からなっていて、風車２の羽根の裏側に取り付けられた上部反射板用ワイパー２ａによって反射面の塵埃が払拭されるようになっている。
上部反射用ワイパーは複数（図面においては３箇）の風車の羽根に位置をずらして複数箇設けてあるうえ、刷毛を利用しているので摩擦が少なく払拭効果が高い。
【００１８】
２２は上部反射板２１の下方に設けられ、前記中部反射板用ワイパー１５の払拭動作の範囲と略同程度の長方形で、下部反射板２３は前記軸１３を間に下方に設けられ、上部反射板２１と同形状の反射板である。
中部反射板２２、下部反射板２３の下端部に沿ってワイパーガイド溝１９、２０が設けられていて、このワイパーガイド溝１９、２０に沿って中部反射板用ワイパー１５、下部反射板用ワイパー１６は水平に円滑に往復動するようになっている。
【００１９】
２４はケースＢ内の上方部の水平方向にに設けられた補強枠で、中腹部に設けられた中部補強材２５、下部補強材２６と共に薄板状のケースＢ全体を補強する役割を果たしている。
【００２０】
中部補強材２５はケースＢの補強と共に軸１３を支える為に設けられたもので、風車の回転によって作動する中部反射板用ワイパー１５下部反射板用ワイパー１６の加重はこの中部補強枠２５に設けられた軸１３によって支えられている。
【００２１】
２７は蓋ＣをケースＢに嵌めた際、固定するための蓋取り付け部で、ビス等で簡単に留められるようになっている。
【００２２】
このように構成された本発明の防塵機構Ａは、図３に示したようにケースＢの上部前面の外側に位置するように伝動軸を介して第１ギヤ、第２ギヤ、第３ギヤとこれに連動するアーム１０、補助アーム１２はケースＢ内に設け、軸１３を介して連設されるワイパー用アーム１４、中部反射板用ワイパー１５、下部反射板用ワイパー１６はケースＢの前面の外側に位置し、中部反射用ワイパー１５、下部反射用ワイパー１６の払拭する部分（刷毛又はゴム）が中部、下部の反射面に接するように取り付ける。
【００２３】
上記の構成からなる本発明の作動について説明する。
風によって風車２が回転すると、風車２の裏側に設けられた上部反射板用ワイパー２ａよって上部反射板２１の反射面の汚れが拭い落されると共に、伝動軸１を介してケースＢ内に設けられた第１ギヤ３と噛合して第２ギヤ４が補助ギヤ６と一体にゆっくりと回転し、補助ギヤ６と噛合する第３ギヤ８が更にゆっくりと回転し、第３ギヤ８の周辺部にピン９を介して設けられたアーム１０が第３ギヤ８の回転にしたがって上下動する。
【００２４】
上下動するアーム１０の下端部にピン１１を介して回動自在に連結された補助アーム１２の一端がケースＢ内の中部補強枠２５に設けられた軸１３に固定されていることによって軸１３が回動し、この軸１３の回動によってワイパー用アーム１４が左右に所定角度回動する。
所定角度回動するワイパー用アーム１０の上下両端にピン１５ａ、１６ａを介して回動自在に設けられた中部反射板用ワイパー１５、下部反射板用ワイパー１６が左右交互に往復動することによって反射板に付着する塵埃は払拭され、反射板は常にきれいになっているので、視線誘導器は遠くからはっきり確認できる。
【００２５】
【発明の効果】
本発明には次のような効果がある。
ａ．反射板に付着する塵埃、汚れが風車の回転を利用したワイパーによって常に拭き除かれるので人手による拭き掃除の必要はなくなった。
ｂ．自然の風力や走行する自動車からの風力等を動力源としているので、維持費も安く、メンテナンスも殆ど不要になった。
ｃ．硬質プラスチック等の素材や薄い鋼板を利用して安価に大量に提供できる。
ｄ，反射面の汚れが常にきれいに拭きとられているので視線誘導器の存在が遠くからはっきり確認できる。
ｅ．軽量にできているので持ち運びや取り付けが簡単である。
ｆ．自然の動力を利用しているので騒音は殆ど発生しない。
【図面の簡単な説明】
【図１】本発明の正面図である。
【図２】蓋を取り外した状態の本発明の背面図である。
【図３】側面から見た本発明の内部構成図である。
【符号の説明】
１  伝動軸
２  風車
３  第１ギヤ
４  第２ギヤ
５  支軸
６  補助ギヤ
７  支軸
８  第３ギヤ
９  ピン
１０  アーム
１１  ピン
１２  補助アーム
１３  軸
１４  ワイパー用アーム
１５  中部反射板用ワイパー
１５ａ  ピン
１６  下部反射板用ワイパー
１６ａ  ピン
１７  突出片
１８  突出片
１９  上部ワイパーガイド溝
２０  下部ワイパーガイド溝
２１  上部反射板
２２  中部反射板
２３  下部反射板
２４  上部補強枠
２５  中部補強枠
２６  下部補強枠
２７  蓋取付部
Ａ  防塵機構
Ｂ  ケース
Ｃ  蓋
ａ  長穴
ｂ  凹陥部
【図１】
2004197540.tif 000003
【図２】
2004197540.tif 000004
【図３】
2004197540.tif 000005